(57)【要約】【課題】パソコン用液晶モニタなどの画面表示体について、その傾きをほぼ一定に保ったままで上下移動させる。【解決手段】画面表示体の取付プレートを枢着する垂直方向に旋回可能な上方回動材と、上方部にカム面を形成し且つ水平方向に旋回可能な下方回動材と、上方回動材および下方回動材にそれぞれ軸着する傾斜可能なアーム本体と、上方回動材を経て取付プレートと関連づける前後進可能なリンクバーとを備え、アーム本体を下方または上方へ傾ける際に、リンクバーに固着したピンが下方回動材のカム面に沿って摺動し、該リンクバーの前後進によって画面表示体の取付プレートを同じ傾斜角度に保つ。【選択図】      図１
2004309680.tif 000002
【特許請求の範囲】
【請求項１】
画面表示体の傾きをほぼ一定に保ったままで該画面表示体を上下移動させることが可能な支持アーム機構であって、画面表示体の取付プレートを設置する垂直方向に旋回可能な上方回動材と、上方部にカム面を形成する下方回動材と、上方回動材および下方回動材にそれぞれ軸着する傾斜可能なアーム本体と、上方回動材および取付プレートを上下方向に旋回させる前後進可能なリンクバーとを備え、アーム本体を下方または上方へ傾ける際に、リンクバーに連結したピンが下方回動材のカム面に沿って摺動し、該リンクバーの前後進によって画面表示体の取付プレートを同じ傾斜角度に保つ画面表示体の支持アーム機構。
【請求項２】
画面表示体の傾きをほぼ一定に保ったままで該画面表示体を上下移動させることが可能な支持アーム機構であって、画面表示体の取付プレートを設置する垂直方向に旋回可能な上方回動材と、上方回動材に軸着する傾斜可能なアーム本体と、上方回動材とアーム本体との回転軸に嵌装する回動制御材と、該回動制御材と上方回動材との間に介在させて両者を関連づける弾性部材と、該アーム本体と異なる位置で回動制御材に軸着し且つアーム本体に沿って前後進可能なリンクバーとを備え、前記回動制御材によって回転軸の旋回を抑制することで上方回動材の傾きを保持し、且つ前記弾性部材を変形することで回転制御材に対する上方回動材の傾きを調整できる画面表示体の支持アーム機構。
【請求項３】
画面表示体の傾きをほぼ一定に保ったままで該画面表示体を上下移動させることが可能な支持アーム機構であって、上方部にカム面を形成した下方回動材と、下方回動材に軸着する傾斜可能なアーム本体と、上端面に下方回動材と接触するスライダを設置する支柱または基台と、アーム本体に沿って前後進可能なリンクバーと、アーム本体内に収納し且つリンクバーに固着したピンを付勢する圧縮コイルバネとを備え、アーム本体を下方または上方へ傾ける際に、リンクバーに連結したピンがアーム本体内のコイルバネで付勢されながら下方回動材のカム面に沿って摺動し、該リンクバーの前後進によって画面表示体の取付プレートを同じ傾斜角度に保ち、さらに画面表示体は支柱上で水平回動が可能である画面表示体の支持アーム機構。
【請求項４】
上方回動材とアーム本体との回転軸および／または下方回動材とアーム本体との回転軸について、内周面が円形断面であるプラスチック制動部材を回転軸に密に嵌装し、該制動部材の外周面と密接する湾曲部および延長部を有する保持金具を被せ、ネジ部材を保持金具の延長部に取り付けて該保持金具を内方へ締め付けることにより、該制動部材の内周面と回転軸の周面とが摩擦面となって回転軸の自由旋回を抑制する請求項１から３のいずれかに記載の支持アーム機構。
【請求項５】
下方回動材の後方部に湾曲凹みを形成し、リンクバー後端部のピンは、アーム本体の傾斜に伴って前記凹みの湾曲内周壁に沿って摺動し、該アーム本体が垂直位置に達すると前記凹みの内底壁と接触する請求項１から３のいずれかに記載の支持アーム機構。
【発明の詳細な説明】
【０００１】
【発明の属する技術分野】
本発明は、パソコン用液晶モニタなどの画面表示体について、その傾きをほぼ一定に保ったままで上下移動が可能である支持アーム機構に関し、該画面表示体を支柱や基台などに対して左右および上下方向に旋回して所望の角度で静止できる支持アーム機構に関する。
【０００２】
【従来の技術】
デスクトップパソコンは、奥行きの長いブラウン管式のモニタよりも、薄型の液晶モニタと組み合わせて使用すると便利である。液晶モニタは、事務机の上に占める面積が小さく、狭い事務所でも複数台配置することが可能である。現在では、液晶モニタの大型化と低価格化が急速に進み、液晶モニタをデスクトップパソコンに接続することが常識になっている。
【０００３】パソコン用の液晶モニタは、垂直の支柱に設置するかまたはパソコン本体のハウジング上部に直接設置するのが普通であり、使用者の目線に応じて任意の傾斜角度で静止させることを要する。液晶モニタを上下方向に傾斜させる機構は、例えば、特開平３−１７３６８号に開示のように、ディスプレイモニタの枠体側壁から突出するシャフトをスリーブに嵌入し、該スリーブ上にコイルバネを緊密に嵌装する。コイルバネの締め付け力により、ディスプレイモニタを取り付けたシャフトの回転を抑制し、該モニタを任意の傾斜角度で静止させる。
【０００４】
【発明が解決しようとする課題】
液晶モニタは、任意の傾斜角度で静止するほかに、モニタ自体を９０度回転してＡ４判の用紙に合わせて縦長に設置できることが望ましい。このため、前記のモニタ支持機構に加えて、モニタ自体の回転機構も設置しなければならない。前記のモニタ支持機構に回転機構を搭載すると、モニタ支持機構の全体重量が重くなり、しかも構造が複雑化して故障が発生しやすくなる。
【０００５】これに対し、本発明者は、既に特開平１１−２２３０６３号において、液晶モニタの傾斜および回転が可能な回転制動装置を提案している。この回転制動装置は、構造が比較的単純であるので全体重量が軽く且つ故障も少ない。しかし、デスクトップパソコンの使用態様によっては、液晶モニタが水平回転できる方が便利であり、さらに該モニタの傾きをほぼ一定に保ったままで上下移動させることができるといっそう使い勝手が良い。このような使い勝手の改善は、大型の液晶またはプラズマテレビについても同様の課題である。
【０００６】本発明は、液晶モニタなどの画面表示体の支持機構を根本的に改善し、パソコン入力作業などで表示画面を視認しやすいように、画面表示体の傾きを常に一定に保つ支持アーム機構を提供するものである。本発明の他の目的は、画面表示体を上下方向に容易に傾けることができ、しかもこの傾斜角度を確実に保持している支持アーム機構を提供することである。本発明の別の目的は、画面表示体について、上下方向の傾斜に加えて垂直面の回転および水平方向の首振りが可能である支持アーム機構を提供することである。本発明のさらに別の目的は、全体がコンパクトであり、しかも画面表示体の傾斜状態を長期間維持できて数万回の回動試験に耐える支持アーム機構を提供することである。
【０００７】
【課題を解決するための手段】
上記目的を達成するために、本発明に係る支持アーム機構は、画面表示体の傾きをほぼ一定に保ったままで該画面表示体を上下移動させることが可能である。本発明の支持アーム機構は、画面表示体の取付プレートを設置する垂直方向に旋回可能な上方回動材と、上方部にカム面を形成する下方回動材と、上方回動材および下方回動材にそれぞれ軸着する傾斜可能なアーム本体と、上方回動材および取付プレートを上下方向に旋回させる前後進可能なリンクバーとを備える。この構成において、アーム本体を下方または上方へ傾ける際に、リンクバーに連結したピンが下方回動材のカム面に沿って摺動し、該リンクバーの前後進によって画面表示体の取付プレートを同じ傾斜角度に保つ。
【０００８】本発明の支持アーム機構は、画面表示体の取付プレートを設置する垂直方向に旋回可能な上方回動材と、上方回動材に軸着する傾斜可能なアーム本体と、上方回動材とアーム本体との回転軸に嵌装する回動制御材と、該回動制御材と上方回動材との間に介在させて両者を関連づける弾性部材と、該アーム本体と異なる位置で回動制御材に軸着し且つアーム本体に沿って前後進可能なリンクバーとで構成してもよい。この構成において、回動制御材によって回転軸の旋回を抑制することで上方回動材の傾きを保持し、且つ弾性部材を変形することで回転制御材に対する上方回動材の傾きを調整できる。
【０００９】また、本発明の支持アーム機構は、上方部にカム面を形成した下方回動材と、下方回動材に軸着する傾斜可能なアーム本体と、上端面に下方回動材と接触するスライダを設置する支柱または基台と、アーム本体に沿って前後進可能なリンクバーと、アーム本体内に収納し且つリンクバーに固着したピンを付勢する圧縮コイルバネとで構成してもよい。この構成において、アーム本体を下方または上方へ傾ける際に、リンクバーに連結したピンがアーム本体内のコイルバネで付勢されながら下方回動材のカム面に沿って摺動し、該リンクバーの前後進によって画面表示体の取付プレートを同じ傾斜角度に保ち、さらに画面表示体は支柱上で水平回転が可能である。
【００１０】本発明の支持アーム機構は、上方回動材とアーム本体との回転軸および／または下方回動材とアーム本体との回転軸について、内周面が円形断面であるプラスチック制動部材を回転軸に密に嵌装すると好ましい。この制動部材には、その外周面と密接する湾曲部および延長部を有する保持金具を被せ、ネジ部材を保持金具の延長部に取り付けて該保持金具を内方へ締め付けることにより、該制動部材の内周面と回転軸の周面とが摩擦面となって回転軸の自由旋回を抑制する。また、本発明の支持アーム機構では、下方回動材の後方部に湾曲凹みを形成し、リンクバー後端部のピンは、アーム本体の傾斜に伴って前記凹みの湾曲内周壁に沿って摺動し、該アーム本体が垂直位置に達すると前記凹みの内底壁と接触すると好ましい。
【００１１】
【発明の実施の形態】
本発明に係る支持アーム機構１は、傾きをほぼ一定に保ったままで画面表示体を上下移動させることができ、この画面表示体として、図１に示すようなパソコン用液晶モニタ２、液晶テレビ、カーナビゲータなどが例示できる。さらに、この画面表示体は、その傾きを一定に保つという利点から、パソコン用データスタンド、ブックスタンド、スタンド型時計、レジスタの料金表示部、測定機器の表示部などに適用することが可能である。
【００１２】支持アーム機構１は、図１に示すように、液晶モニタ２などの画面表示体において支柱４および基台３を有していても、この支柱の代りに細長い下方回動材であってもよい。支持アーム機構１を左右首振り不要な態様で使用するならば、支柱４または基台３においてスライダなどの水平回転機構は不要である。本発明において、基台３および支柱４は必須の構成部材ではなく、これらを一部または全部省略して、例えば、支持アーム機構１を壁面取付金具、机、車のダッシュボードなどに直接取り付けることも可能である。
【００１３】支持アーム機構１では、アーム本体８の両側に配置した１対のリンクバー１０，１０および下方回動材７のカム面３８が重要であり、この構成でリンクバー１０が前後進することにより、液晶モニタ２などの画面表示体がその傾きを一定に保ったままで容易に上下移動させることが可能となる。画面表示体の傾きをほぼ一定に保つ機能は、電気的ではなくて機械的に達成されているから、電子部品のように高価でなく、しかも耐久性に優れている。
【００１４】支持アーム機構１は、画面表示体の傾きを変える際つまり上下方向の首振りをさせる際に、上方回動材６と回動制御材７４との間に弾性部材を介在させる。この弾性部材の弾力により、液晶モニタ２つまり取付プレート５を傾ける場合に、重力に逆らう上方への傾斜を補助し、重力が加わる下方への傾斜を抑制して、スムースに動かすことができる。この弾性部材は、回転軸５６にコイルバネを嵌装したり、両者間に板バネや線細工バネを介在すればよく、または、回転軸５６に隣接するピン１１８にねじりコイルバネ１１６などを嵌装すると好ましい。
【００１５】ねじりコイルバネ１１６のような弾性部材を、回転軸５６に嵌装することなく、回転軸５６に隣接するピン１１８に嵌装することにより、回動制御材７４において、プラスチック制動部材７８を回転軸５６に密に嵌装し、さらに保持金具８０を制動部材７８に被せることが可能である。保持金具８０を被せた制動部材７８は、その占有場所が小さいうえに、その摩擦抵抗によって画面表示体の傾斜角度を確実に保持し、使用中に画面表示体が首振りをすることを防止する。
【００１６】保持金具８０を被せた制動部材７８は、回転軸５６の旋回頻度が高くても接触部において磨耗渣が生じず、使用を長期間継続しても回転軸５６の旋回位置を一定に保つ。また、一体的に作動する保持金具８０で制動部材７８の外周面全体を取り囲むことにより、旋回作動時に作用する荷重を制動部材８０の全横幅で受けることで数万回の回動試験にも耐える。制動部材７８は、回転軸５６を制動する力をネジ８６のねじ込み量で微妙に調整でき、画面表示体の重量に応じた旋回作動に容易に設定できる。このような制動部材は、下方回動材７において、回転軸４４を任意の旋回位置つまりアーム本体８を任意の傾斜位置で静止するために設置することも可能である。
【００１７】下方回動材７に関して、リンクバー１０の後端部を連結するピン５２は、図８または図９に示すように、アーム本体８の傾斜に伴って下方回動体７の後方凹み４０の湾曲内周壁５３に沿って摺動する。ピン５２は、アーム本体８が垂直位置に達すると凹み４０の内底壁と接触して静止する。ピン５２および凹み４０が存在しないならば、プレート５つまり上方回動材６を強制的に上下方向へ動かすと、リンクバー１０を介して圧縮コイルバネ５８（図９）を圧縮することにより、首振りが可能になってしまう。このような首振り作動は、画面表示体の使用時に不測の事態が発生しうるので好ましくない。ピン４６，５２は単なる軸であっても、接触部分においてコロにすることも可能である。
【００１８】支持アーム機構１は、画面表示体の傾きを一定に保ったままで上下移動できるうえに水平方向に首振りができ、画面表示体の配置場所および視認作業者の位置に応じた調整が容易である。支持アーム機構１は、比較的重い画面表示体の支持できる割りに全体がコンパクトであり、大型の液晶モニタまたは大画面の液晶テレビにも適用可能である。
【００１９】
【実施例】
次に、本発明を実施例に基づいて説明するが、本発明は実施例に限定されるものではない。本発明に係る支持アーム機構１は、図１に例示するような全体形状を有し、図１の液晶モニタスタンドは、販売時に取り付けるプラスチックカバーを除いた内部構造だけを図示している。
【００２０】液晶モニタ２は、一般に、基台３上に垂直に設置した支柱４に取り付ける。基台３は、平らで比較的重いと安定性が増して好ましい。本発明では、基台３および支柱４を省略して、支持アーム機構１を壁面取付金具、机、車のダッシュボードなどに直接取り付けることも可能である。
【００２１】支持アーム機構１は、取付プレート５を枢着する上方回動材６と、支柱４上で水平回転可能な下方回動材７と、上方回動材６および下方回動材７にそれぞれ軸着するアーム本体８とを有する。取付プレート５は、液晶モニタ２の裏側に例えばボルト４本で止着する。図２から図４に示すように、アーム本体８の両側に配置した１対のリンクバー１０，１０が前後進することにより、支持アーム機構１のアーム本体８がどの角度に傾斜しても、液晶モニタ２をボルト止めした取付プレート５の傾きを一定に保つ。したがって、支持アーム機構１は、液晶モニタ２の傾きをほぼ一定に保ったままで該モニタを上下移動させることができる。
【００２２】各部材についてより詳細に説明すると、下方回動材７は、図５および図７から図１０に示すように、アセタール樹脂のようなプラスチック製の回動材本体１２の両側をＵ字形断面の金属補強板１４で挟んだ上面が円弧状の角柱形である。補強板１４では、その前方部１６は上方へ屈曲して回動材本体１２にボルト止めし、一方、その後方部は下方へ屈曲して幅狭のストッパ１８を構成する。補強板１４は、その下面部に円形孔１９（図９）を設け、該円形孔に挿通した平頭付き垂直軸２０を回転自在に保持する。頭部を回動材本体１２の下面凹み２１に嵌めた垂直軸２０は、例えば、その下方部でナット２２によって締め付け、支柱４の上端面に垂直に固着する。
【００２３】支柱４は、その上端部に金属製の補強板２４を取り付け、該補強板の前方部２５および両側部２８を下方へ屈曲して支柱４の側面にボルト止めする。下方回動材７の水平旋回の際に、ストッパ１８が補強板２４の両側部２８，２８の上端側面に接触することにより、下方回動材７の自由旋回を阻止する。リング状のスライダ２６は補強板２４の水平部上に設置する。図９から明らかなように、スライダ２６の内部には、板バネ３０、保持板３２付きの複数個のベアリング３４および背面ディスク３６を順次挿入する。保持板３２およびディスク３６の外径はスライダ２６の下方内径よりも大きく、保持板３２およびディスク３６をスライダ２６で保持する。スライダ２６は支柱４とともに静止し、背面ディスク３６は下方回動材７とともに旋回する。
【００２４】下方回動材７には、その上方部に板カム面３８を形成し、且つ後方部に湾曲凹み４０を形成する。下方回動材７の上方部において、板カム面３８の基礎円に相当する位置に貫通孔４２（図９）を設け、該貫通孔にアーム本体８の回転軸４４を嵌入する。回転軸４４は、貫通孔４２中に強く圧入されているので、回転軸４４を任意の旋回位置つまりアーム本体８を任意の傾斜位置で静止できる。図示しないけれども、内周面が円形断面であるプラスチック制動部材を回転軸４４に密に嵌装し、該制動部材の外周面と密接する湾曲部および延長部を有する保持金具を被せ、ネジ部材を保持金具の延長部に取り付けて該保持金具を内方へ締め付ける構成にしてもよい。
【００２５】下方回動材７に関して、１対のリンクバー１０，１０を連結する直交した可動ピン４６は、板カム面３８に沿って摺動し、カム側壁４８，５０においてピン４６は停止する。また、リンクバー１０，１０の後端部を連結する後方ピン５２は、図８または図９に示すように、アーム本体８の傾斜に伴って下方回動体７の後方凹み４０の湾曲内周壁５３に沿って摺動し、該アーム本体が垂直位置に達すると凹み４０の内底壁と接触し、リンクバー１０を介して取付プレート５つまり上方回動材６が強制的に首振りできることを防止する。ピン４６，５２は単なる軸でもコロでもよい。
【００２６】アーム本体８は、Ｕ字形断面の細長い金属フレーム５４からなり、回転軸４４で下方回動材７に且つ回転軸５６で上方回動材６に枢着する。金属フレーム５４内には、圧縮コイルバネ５８（図９）を挿入する角筒形のバネハウジング６０を摺動可能に収納する。ハウジング６０は、その外寸がフレーム５４の内寸と対応し、フレーム側壁の一部６２（図５）を直角内方へ延設することによってフレーム５４でハウジング６０を保持できる。ハウジング６０は、底壁６４（図９）を有し、該底壁がリンクバー１０の可動ピン４６と接触している。圧縮コイルバネ５８の上端はフレーム５４内の矩形ディスク６５と接触し、該矩形ディスクを固定ディスク６６にねじ込んだ六角穴付の平頭ネジ６７によって位置変更すると、ピン４６に対するバネ５８の付勢力を調整できる。
【００２７】アーム本体８に関して、１対のリンクバー１０，１０を連結する可動ピン４６は、縦長の貫通溝６８（図８）を通過し、ハウジング６０の底面中央の環状凹み６９（図９）に嵌合する。リンクバー１０とアーム本体８との間には、長円環状のスライダ７０を配置して摩擦抵抗を減らす。ピン４６は、圧縮コイルバネ５８を圧縮すれば、アーム本体８の貫通溝６８に沿って前方移動が可能である。
【００２８】上方回動材６は、図６に示すようにＵ字形平面の金属フレーム７２からなり、フレーム後方に固着した回転軸５６でアーム本体８と連結する。回転軸５６において、フレーム７２の並行部間に回動制御材７４を嵌装し、該回動制御材はアセタール樹脂のようなプラスチック製である。図６および図９から明らかなように、回動制御材７４の凹んだ中央部７６において、プラスチック制動部材７８を回転軸５６に密に嵌装し、さらに保持金具８０を被せる。制動部材７８は、耐磨耗性エンジニアリングプラスチック（例えば、炭素含有のポリアセタール樹脂）の射出成形品であり、保持金具８０はバネ鋼製である。
【００２９】図９に示すように、制動部材７８は、回転軸５６に密に嵌装できるように内周面が円形断面であり、接線方向に延びる延長部８２，８２を有する。保持金具８０は、制動部材７８に被せる環状の湾曲部と、該湾曲部の両端から相互にほぼ平行に延設する延長部８４，８４とを有する。制動部材７８と保持金具８０はほぼ等しい横幅である。制動部材７８の延長部８２，８２は、保持金具８０の延長部８４，８４の形状と対応し、各延長部８２，８４において貫通孔を垂直方向で合致するように設ける。延長部８２，８２により、制動部材７８は常に保持金具８０とともに回転または静止し、その内周面と回転軸５６の周面とが摩擦面となる。
【００３０】六角穴付の平頭ネジ８６は、保持金具８０および制動部材７８の各延長部に設けた各貫通孔を通過し、ボルト用孔を設けた矩形板８８にねじ込む。矩形板８８を回動制御材７４の下方水平部に配置することにより、制動部材７８および保持金具８０を回動制御材７４に固着する。この結果、ネジ８６を強くねじ込むと、延長部８４を介して保持金具８０を内方へ締め付け、回転軸５６の制動力をそのねじ込み量によって調整できる。
【００３１】回動制御材７４において、回転軸５６用の貫通孔の近傍で下方前方に貫通孔９０（図９）を設け、該貫通孔と連通する湾曲溝９２（図８）を上方回動材６のフレーム７２，７２に形成する。湾曲溝９２は円弧状であり、その曲率半径の中心は回転軸５６の中心である。湾曲溝９２の湾曲長さによって、液晶モニタ２の傾斜角度の範囲が定められる（図２から図４参照）。貫通孔９０および湾曲溝９２内には、リンクバー１０，１０の前端部を連結する前方ピン９４を挿通する。
【００３２】上方回動材６のフレーム７２には、その前面部９６（図６）に円形孔を設け、該円形孔に平頭付き横軸９８を挿通して回転自在に保持する。横軸９８は、取付プレート５の貫通孔に通してナット１００によって止着する。フレーム前面部９６の一部は、上方または下方へ延設してから水平に屈曲し、幅狭のストッパ１０２を構成する（図９参照）。リング状のスライダ１０４は、フレーム前面部９６と取付プレート５の裏面との間に設置し、該取付プレートとともに回動する。図９から明らかなように、スライダ１０４の内部には、板バネ１０６、保持板１０８付きの複数個のベアリング１１０および背面ディスク１１２を順次挿入する。保持板１０８およびディスク１１２の外径はスライダ１０４の前方内径よりも大きく、保持板１０８およびディスク１１２をスライダ１０４で保持する。スライダ１０４は、横軸９８および取付プレート５とともに旋回可能であり、背面ディスク１１２は上方回動材６のフレーム７２とともに静止している。
【００３３】矩形平面の取付プレート５には、ストッパ１０２の先端部を挿入する湾曲溝１１３（図５）を形成する。湾曲溝１１３はほぼ１／４円の円弧状であり、その曲率半径の中心は横軸９８の中心である。湾曲溝１１３の湾曲長さによって、液晶モニタ２の垂直面旋回の範囲が定められ、旋回範囲が通常９０度であると液晶モニタ２を横長または縦長に配置できる。取付プレート５は、図５のような０度回転または９０度回転になったとき、各ベアリング１１０（図９）が背面ディスク１１２に設けた穴に嵌り、クリック感が生じる。取付プレート５において、ボルト孔１１４を設けたプレート四隅部１１５を中央部に比べて前方へせり出しておくと（図１０参照）、該取付プレートを液晶モニタ２の裏側に止着した際に、ボルト１００およびストッパ１０２の先端部がモニタ裏側に接触しないので好ましい。
【００３４】上方回動材６のフレーム７２内において、ねじりコイルバネ１１６（図６）のような弾性部材を、図９に示すようにフレーム前面部９６の内面と回動制御材７４との間に介在させる。コイルバネ１１６は、フレーム７２，７２間で支承したピン１１８に嵌装し、一方のバネ端部を回動制御材７４の前方傾斜壁１２０に接触させ、且つ他方のバネ端部をフレーム前面部９６の内壁面に接触させる。したがって、図３において二点鎖線で示すように、取付プレート５を傾ける場合に、上方への傾斜をコイルバネ１１６の付勢力によって補助し、下方への傾斜をコイルバネ１１６の弾力によって抑制する。所望の傾斜位置において、保持金具８０を被せた制動部材７８の摩擦抵抗によって取付プレート５を静止する。
【００３５】１対のリンクバー１０，１０は、図２から図４および図７に示すように、細長い板形状であり、長手方向に沿ってアーム本体８の両側に配置する。リンクバー１０，１０の前端部は、上方回動材６のフレーム７２に設けた湾曲溝９２および回動制御材７４の貫通孔９０を通過する水平ピン９４によって連結する。リンクバー１０，１０の中間より後方には、アーム本体８の縦長溝６８を通過し且つハウジング６０の環状凹み６９と接触する可動ピン４６を取り付け、該可動ピンは下方回動材７の板カム面３８に沿って摺動する。また、リンクバー１０，１０の後端部は、アーム本体８の傾斜に伴って下方回動体７の後方凹み４０の湾曲内周壁に沿って摺動する水平ピン５２によって連結し、該水平ピンはアーム本体８が垂直位置に達すると凹み４０の内底壁と接触する。
【００３６】支持アーム機構１は、図２から図４において二点鎖線で示すように、取付プレート５つまり液晶モニタ２を傾斜角度−５度〜３０度の範囲において任意に傾けることができる。この傾斜角度を変更する際に、上方回動材６は上下方向に移動するけれども、フレーム７２に湾曲溝９２が形成されているため、リンクバー前端部のピン９４は静止しており、リンクバー１０が前後進することはない。液晶モニタ２の傾斜可能角度を増減するには、湾曲溝９２の湾曲長さおよびコイルバネ１１６の形状や弾力を変更すればよい。
【００３７】支持アーム機構１は、図２から図４に例示するように、取付プレート５つまり液晶モニタ２の傾きをほぼ一定に保ったままで、該プレートを上下方向に移動させることができる。例えば、アーム本体８が、垂直位置（図４参照）から水平位置（図２参照）まで下方移動すると、その下方移動に伴ってリンクバー１０の可動ピン４６は、板カム面３８に沿って摺動し、圧縮コイルバネ５８に付勢されながらアーム本体８の貫通溝６８（図８）内を前方へ移動する。この前方移動によって、１対のリンクバー１０，１０が前進し、回動制御材７４を回転軸５６の回りで旋回する。回動制御材７４の旋回がアーム本体８の下方移動と同期するように板カム面３８を設計すれば、アーム本体８に応じて回動制御材７４を旋回して上方回動材６つまり取付プレート５を傾斜させ、アーム本体８がどの傾斜角度にあっても、取付プレート５つまり液晶モニタ２の傾きを一定に保つことができる。
【００３８】支持アーム機構１に関して、上下方向の首振り角度は、アーム本体８の水平位置（図２参照）から垂直位置（図４参照）までの９０度である。この上下首振り角度は、下方回動体７における板カム面３８の側壁４８，５０の位置および後方凹み４０の深さによって増加させることが可能である。また、左右方向の首振り角度は、通常、下方回動体７のストッパ１８が補強板２４の両側部２８，２８の上端側面で停止するまでの９０度であり、この角度増減は比較的容易である。
【００３９】
【発明の効果】
本発明に係る支持アーム機構は、アーム本体の両側に配置した１対のリンクバーが前後進することにより、液晶モニタなどの画面表示体の傾きを常に一定に保ったままで該画面表示体を上下移動させることができる。画面表示体の傾きがほぼ一定であると、パソコン入力作業などにおいて視認位置の変更が容易であり、長時間の作業中に気分転換しても作業能率が低下することが少ない。
【００４０】本発明に係る支持アーム機構は、ねじりコイルバネのような弾性部材によって画面表示体を上下方向に容易に傾けることができ、保持金具を被せた制動部材の摩擦抵抗によってこの傾斜角度を確実に保持することにより、使用中に画面表示体が首振りをすることはない。本発明の支持アーム機構は、画面表示体について、上下方向の傾斜に加えて直交垂直面での回転および水平方向に首振りができ、液晶モニタなどの画面表示体の配置場所および視認作業者の位置に応じて、画面表示体の表示態様を適正に調整できる。
【００４１】本発明の支持アーム機構は、機能が豊富な割りに全体がコンパクトであり、画面表示体の大きさと重さに比べて小型化できる。また、本発明の支持アーム機構は、数万回の回動試験に耐えることができ、耐久性の点でも十分な性能を有している。
【図面の簡単な説明】
【図１】本発明に係る支持アーム機構を備える液晶モニタを示す全体側面図である。
【図２】支持アーム機構の最小傾斜つまり垂直位置を示す側面図である。
【図３】支持アーム機構の中間傾斜位置を示す側面図である。
【図４】支持アーム機構の最大傾斜つまり水平位置を示す側面図である。
【図５】支持アーム機構の正面図である。
【図６】支持アーム機構の平面図である。
【図７】支持アーム機構の側面図である。
【図８】図５のＡ−Ａ線に沿って切断した縦断面図であり、リンクバーを除去した状態の支持アーム機構の側面図である。
【図９】図５のＢ−Ｂ線に沿って切断した支持アーム機構の縦断面図である。
【図１０】図５のＢ−Ｂ線に沿って切断した縦断面の斜視図である。
【符号の説明】
１  支持アーム機構
２  液晶モニタ
４  支柱
５  取付プレート
６  上方回動材
７  下方回動材
８  アーム本体
１０，１０  リンクバー
２６  スライダ
３８  板カム面
４０  湾曲凹み
４４  アーム本体８の回転軸
４６  可動ピン
５８  圧縮コイルバネ
７４  回動制御材
７８  制動部材
８０  保持金具
１１６  ねじりコイルバネ
【図１】
2004309680.tif 000003
【図２】
2004309680.tif 000004
【図３】
2004309680.tif 000005
【図４】
2004309680.tif 000006
【図５】
2004309680.tif 000007
【図６】
2004309680.tif 000008
【図７】
2004309680.tif 000009
【図８】
2004309680.tif 000010
【図９】
2004309680.tif 000011
【図１０】
2004309680.tif 000012